(57)【要約】【課題】  電線にコルゲートチューブを確実、容易に装着することができ、更に装着の作業性を向上させることができるコルゲートチューブ装着治具を提供する。【解決手段】  電線Ｗに長手方向にスリットＣ１を有するコルゲートチューブＣを装着するコルゲートチューブ装着治具１０であって、前部側にコルゲートチューブＣのスリットＣ１を拡開させる先端が半球状に形成された割込み部１３を有し、コルゲートチューブＣ内に挿入されてコルゲートチューブＣを案内する案内部材１２と、取っ手及びこれを案内部材１２に連結させる板状片の連結部とからなり、案内部材１２をコルゲートチューブＣの長手方向に沿って相対的に移動させる支持部材１４と、支持部材１４に取り付けられ、案内部材１２にその後部側から挿入された電線Ｗを固定する電線クランプ１６とを備える。【選択図】        図１
2006271020.tif 000002
【特許請求の範囲】
【請求項１】
電線に長手方向にスリットを有するコルゲートチューブを装着するコルゲートチューブ装着治具であって、前部側にコルゲートチューブのスリットを拡開させる割込み部を有し、コルゲートチューブ内に挿入されてコルゲートチューブを案内する案内部材と、案内部材に設けられ、これをコルゲートチューブの長手方向に沿って相対的に移動させる支持部材と、案内部材の後部側に接続される電線を案内部材に固定する電線クランプとを備えることを特徴とするコルゲートチューブ装着治具。
【請求項２】
前記案内部材が筒状体からなることを特徴とする請求項１記載のコルゲートチューブ装着治具。
【請求項３】
前記支持部材の後方に電線クランプが配設され、前記支持部材の案内部材寄りの前面部が先細り状に形成されていることを特徴とする請求項１又は２記載のコルゲートチューブ装着治具。
【請求項４】
前記電線クランプが、案内部材に向けて進退自在に設けられ、案内部材に挿入された電線を押えるクランプ軸と、クランプ軸を前進させて電線に押付け力を作用させる付勢部材と、クランプ軸を付勢部材の付勢力に抗して後退させ、電線のクランプを解除するレバーとを備えることを特徴とする請求項１、２又は３記載のコルゲートチューブ装着治具。
【発明の詳細な説明】
【技術分野】
【０００１】
本発明はワイヤーハーネスその他の電線（光ケーブルを含む）を保護するために、電線にコルゲートチューブを装着するコルゲートチューブ装着治具に関するものである。
【背景技術】
【０００２】
ワイヤーハーネスその他の電線を車体、建造物の床、壁等に取り付ける際、電線を保護するために、電線に合成樹脂又は金属製のコルゲートチューブを装着する場合がある。コルゲートチューブは蛇腹状の管体の長手方向にスリットを有するもので、そのスリットを拡開させ、そのチューブ内に電線を挿入することにより、電線にコルゲートチューブを装着する。従来、このような作業は作業者が手作業で行っていたが、作業能率が悪く、長時間作業を続けると、手を痛めたりする。
【０００３】
このため、最近では、図７（ａ）（ｂ）に示すように、電線Ｗに長手方向にスリットＣ１を有するコルゲートチューブＣを電線Ｗに装着するために、１枚の板材を略Ｕ字形に曲成した形状を有し、Ｕ字の底部２を電線Ｗのガイド部とすると共に、このＵ字の底部２を挟む略平行な２つの側部３、３の上辺をＵ字の底部２に対して傾斜状に形成し、且つ、上記２辺の縁を互いに外側に折り曲げて、コルゲートチューブＣのスリットＣ１を拡開させ、Ｕ字の底部２にガイドされた電線ＷをそのチューブＣ内に挿入して、電線ＷにコルゲートチューブＣを装着するようにガイドするフランジ縁４、４としたコルゲートチューブ装着治具１が使用されるようになってきている。このコルゲートチューブ装着治具１は、前記フランジ縁４、４の、該治具１の先端１ａ側の端部４ａ、４ａが、Ｕ字の底部２にガイドされる電線Ｗより高い位置になるように、当該フランジ縁４、４をカットした形状に形成されているものである。
【０００４】
この装着治具１を用いて、電線ＷにコルゲートチューブＣを装着するには、図７（ｂ）に示すように、先ずガイド部であるＵ字の底部２に電線Ｗをあてがうと共に、フランジ縁４、４をコルゲートチューブＣのスリットＣ１からコルゲートチューブＣ内に挿入して、当該フランジ縁４、４を、スリットＣ１の両側の端面（図示せず）に係合させる。
【０００５】
次に、電線Ｗと装着治具１がずれないように固定しつつ、図７（ｂ）に黒矢印で示すように、コルゲートチューブＣを電線Ｗの方向に送り出す。そして、コルゲートチューブＣをスリットＣ１の端面とフランジ縁４、４との係合により、電線Ｗの方向に案内しつつ、当該フランジ縁４、４によって、スリットＣ１を拡開させ、Ｕ字の底部２にガイドされた電線ＷをそのチューブＣ内に挿入して電線ＷにコルゲートチューブＣを被せた後、チューブ自身の弾性収縮力によって、スリットＣ１の隙間が閉じられ、コルゲートチューブＣを装着する（特許文献１参照）。
【０００６】
【特許文献１】特許第３２５２５８９号公報
【発明の開示】
【発明が解決しようとする課題】
【０００７】
従来のコルゲートチューブ装着治具１によると、コルゲートチューブＣを、装着治具１のフランジ縁４、４によって、スリットＣ１を拡開させつつ、Ｕ字の底部２にガイドされた電線Ｗ側に移動させ、そのチューブＣの拡開されたスリットＣ１を電線Ｗに押し込んで、そのチューブＣ内に電線Ｗを挿入する際、スリットＣ１の隙間が該治具１の先端１ａ側の端部４ａ、４ａを通過した後、チューブ自身の弾性収縮力によって狭まり、コルゲートチューブＣ内に電線Ｗを円滑に挿入できないことがある。このため、電線ＷにコルゲートチューブＣを確実に装着することができず、装着の作業性が低下するという問題がある。
【０００８】
本発明は上記に鑑みて生まれたもので、電線にコルゲートチューブを確実、容易に装着することができ、更に装着の作業性を向上させることができるコルゲートチューブ装着治具を提供することを目的とするものである。
【課題を解決するための手段】
【０００９】
上記目的を達成するために、本発明の請求項１に記載されたコルゲートチューブ装着治具は、電線に長手方向にスリットを有するコルゲートチューブを装着するコルゲートチューブ装着治具であって、前部側にコルゲートチューブのスリットを拡開させる割込み部を有し、コルゲートチューブ内に挿入されてコルゲートチューブを案内する案内部材と、案内部材に設けられ、これをコルゲートチューブの長手方向に沿って相対的に移動させる支持部材と、案内部材の後部側に接続される電線を案内部材に固定する電線クランプとを備えることを特徴とするものである。
【００１０】
本発明の請求項２に記載されたコルゲートチューブ装着治具は、請求項１記載のものにおいて、前記案内部材が筒状体からなることを特徴とするものである。
【００１１】
本発明の請求項３に記載されたコルゲートチューブ装着治具は、請求項１又は２記載のものにおいて、前記支持部材の後方に電線クランプが配設され、前記支持部材の案内部材寄りの前面部が先細り状に形成されていることを特徴とするものである。
【００１２】
本発明の請求項４に記載のコルゲートチューブ装着治具は、請求項１、２又は３記載のものにおいて、前記電線クランプが、案内部材に向けて進退自在に設けられ、案内部材に挿入された電線を押えるクランプ軸と、クランプ軸を前進させて電線に押付け力を作用させる付勢部材と、クランプ軸を付勢部材の付勢力に抗して後退させ、電線のクランプを解除するレバーとを備えることを特徴とするものである。
【発明の効果】
【００１３】
本発明の請求項１記載のコルゲートチューブ装着治具によると、前部側にコルゲートチューブのスリットを拡開させる割込み部を有し、コルゲートチューブ内に挿入されてコルゲートチューブを案内する案内部材と、案内部材に設けられた支持部材と、案内部材の後部側に接続される電線を案内部材に固定する電線クランプとを備えている。そこで、電線にコルゲートチューブを装着するために、案内部材をコルゲートチューブの長手方向に沿って相対的に移動させ、割込み部でそのチューブのスリットを拡開させ、拡開されたスリットに支持部材を通しながら、案内部材をコルゲートチューブ内に挿入し、案内部材でコルゲートチューブを案内しながら、そのチューブを案内部材の後方に相対的に移動させると、案内部材の後部側に接続された電線も案内部材と共に移動してコルゲートチューブ内に挿入される。その結果、案内部材を通り過ぎたコルゲートチューブのスリットの隙間がそのチューブ自身の弾性収縮力で狭められても、コルゲートチューブ内に電線が既に挿入されているので、電線の挿入失敗がなくなり、電線にコルゲートチューブを確実、容易に装着することができる。更に装着の作業性を向上させることもできる。
【００１４】
本発明の請求項２記載のコルゲートチューブ装着治具によると、案内部材が筒状体からなるので、案内部材の筒状穴を利用して、その穴に電線を挿入して固定することが可能になる。従って、案内部材に電線挿入穴を別に形成する必要がなくなり、装着治具の製造が容易でコストを低減させることができる。更に案内部材が軽量になり、装着治具の取り扱いが容易になる。
【００１５】
本発明の請求項３記載のコルゲートチューブ装着治具によると、支持部材の後方に電線クランプが配設され、前記支持部材の案内部材寄りの前面部が先細り状に形成されているので、コルゲートチューブの拡開されたスリットの端面が支持部材に接触して変形したり、損傷したりすることがなく、コルゲートチューブによる電線保護性能を良好に維持することができる。また、スリットの端面と支持部材との摩擦力が減少するので、コルゲートチューブ内に案内部材を円滑に挿入することができ、コルゲートチューブの装着の作業性をより向上させることができる。
【００１６】
本発明の請求項４記載のコルゲートチューブ装着治具によると、電線クランプが電線を押えるクランプ軸と、クランプ軸を前進させて電線に押付け力を作用させる付勢部材と、クランプ軸を後退させて電線のクランプを解除するレバーとを備えているので、装着治具の構造が簡単になり、製造及び保守が容易で安価に得られるほか、耐久性に優れ、長期間安定して使用することができる。
【発明を実施するための最良の形態】
【００１７】
次に本発明の実施形態を図面に基づいて詳細に説明する。図１は本発明に係るコルゲートチューブ装着治具の好ましい実施形態を示す斜視図、図２はその電線クランプを示す断面図、図３は図１の案内部材をＸ−Ｘ線で切断した拡大断面図である。なお、従来技術に記載されたものと同一構成のものには同一符号を付してある。
【００１８】
本実施形態のコルゲートチューブ装着治具１０は、図１乃至図３に示すように、電線Ｗに、蛇腹状の合成樹脂又は金属製管体の長手方向にスリットＣ１を有するコルゲートチューブＣを装着するために使用される。本装着治具１０は、前部側（コルゲートチューブＣに相対的に挿入開始される側）にコルゲートチューブＣのスリットＣ１を拡開させる割込み部１３を有し、コルゲートチューブＣ内に挿入されてコルゲートチューブＣを案内する案内部材１２と、案内部材１２に設けられ、これをコルゲートチューブＣの長手方向に沿って相対的に移動させる支持部材１４と、案内部材１２の後部側に接続される電線Ｗを案内部材１２に固定する電線クランプ１６とを備える。
【００１９】
案内部材１２は、図示例では直線状で合成樹脂又は金属製の断面円形の筒状体からなり、前部側に割込み部１３が形成されるように有底状に密閉され、後部側が開口されて、内部に電線Ｗの端部が挿入し得るようになっている。なお、案内部材１２は筒状体でなく、中実棒状体からなり、前部側に割込み部１３が形成され、後部側に電線Ｗを挿入させる電線挿入穴（図示せず）が形成されるようにしてもよい。
【００２０】
案内部材１２が筒状体で構成されていると、案内部材１２の筒状穴を利用して、その穴に電線Ｗを挿入して固定することが可能になる。従って、案内部材１２に電線挿入穴を別に形成する必要がなくなり、装着治具１０の製造が容易でコストを低減させることができる。更に案内部材１２が軽量になり、装着治具１０の取り扱いが容易になるので好ましい。
【００２１】
割込み部１３は、図示例では先端が半球状に面取りされて形成され、図３に示すように、コルゲートチューブＣのスリットＣ１を円滑に拡開させることができるようになっている。なお、割込み部１３は、図示しないが、先端に向かって先細るように円錐形状（砲弾頭状）にし、先端に丸みを持たせてくさび形に形成するようにしてもよい。
【００２２】
支持部材１４は、合成樹脂又は金属製で、矩形板状の取っ手１８とこれを案内部材１２の中間部（図示例はほぼ中央部）における外面に連結させる矩形板状の連結部２０とから構成されている。また、支持部材１４を構成する取っ手１８及び連結部２０は成形、溶接、ボルト、ねじ等の締付け部材で案内部材１２に設けられている。また、支持部材１４の案内部材１２寄りの前面部が先細り状に形成されている。図１に示すものは、連結部２０の前面部２０ａが同じ傾斜方向の傾斜面状に面取りされ、図４（ａ）に示すものは、前面部２０ｂがＶ字形状に、図４（ｂ）に示すものは、前面部２０ｃが弧形状、例えば、円弧形状に面取りされて、先細り状に形成されている。
【００２３】
支持部材１４の案内部材１２寄りの前面部が先細り状に形成されていると、コルゲートチューブＣの拡開されたスリットＣ１の端面Ｃ２、Ｃ２（図３参照）が支持部材１４に接触して変形したり、損傷したりすることがなく、コルゲートチューブＣによる電線保護性能を良好に維持することができる。また、スリットＣ１の端面Ｃ２、Ｃ２と支持部材４との摩擦力が減少するので、コルゲートチューブＣ内に案内部材１２を円滑に挿入することができ、コルゲートチューブＣの装着の作業性をより向上させることができるので好ましい。
【００２４】
電線クランプ１６は、支持部材１４の後方に配設され、案内部材１２に向けて進退自在に設けられ、案内部材１２の後部側から挿入されて後部側に接続される電線Ｗを押えるクランプ軸２２と、クランプ軸２２を前進させて電線Ｗに押付け力を作用させる付勢部材２４と、クランプ軸２２の後部側に設けられ、クランプ軸２２を付勢部材２４の付勢力に抗して後退させ、電線Ｗのクランプを解除するレバー２６とを備えている。
【００２５】
クランプ軸２２は、その後端部寄りの部位が、前記連結部２０の後壁部に案内部材１２から間隔をおいて突設された支持アーム２８に、縦方向に緩挿され、案内部材１２に向けて進退自在に支持される。そして、先端部が案内部材１２の後部側における側壁に形成された貫通穴３０を通して案内部材１２に挿入されることにより、案内部材１２に支持され、付勢部材２４により案内部材１２に挿入された電線Ｗの端部をクランプして固定するようになっている。更にクランプ軸２２の後端部には、矩形の板状片からなるレバー２６が、図１、２の手前側に水平向きに突出するようにして、締付けねじ３２により固定されている。
【００２６】
付勢部材２４は、例えば、圧縮用のコイルスプリングからなり、支持アーム２８と案内部材１２との間に配置され、支持アーム２８の下面とクランプ軸２２に突設された円形の鍔部３４との間に、クランプ軸２２を取り囲むように介挿されている。そして、常時はクランプ軸２２を案内部材１２に向けて前進させる付勢力が作用するようになっている。
【００２７】
電線クランプ１６が電線Ｗを押えるクランプ軸２２と、クランプ軸２２を前進させて電線Ｗに押付け力を作用させる付勢部材２４と、クランプ軸２２を後退させて電線Ｗのクランプを解除するレバー２６とを備える構成になっていると、装着治具１０の構造が簡単になり、製造及び保守が容易で安価に得られるほか、耐久性に優れ、長期間安定して使用することができるので好ましい。
【００２８】
次に、本発明のコルゲートチューブ装着治具１０を用いて電線ＷにコルゲートチューブＣを装着する方法を説明する。
【００２９】
先ず、図５に示すように、その装着治具１０の電線クランプ１６のレバー２６を手で上方に持ち上げてクランプ軸２２を付勢部材２４の付勢力に抗して後退させる。次に、このような状態を保持したまま、案内部材１２の後部側から案内部材１２の内部に電線Ｗを所定長挿入し、手からレバー２６を離し、クランプ軸２２を付勢部材２４により前進させる。これにより、クランプ軸２２の先端を付勢部材２４の付勢力で電線Ｗに押し付け、電線Ｗを案内部材１２に固定させ、案内部材１２の後部側に電線Ｗを接続する。
【００３０】
次に、その装着治具１０の支持部材１４の取っ手１８を右手で把持し、コルゲートチューブＣを左手で把持しながら、そのチューブＣを案内部材１３の割込み部１３に向けて矢印Ｐ方向に移動させ、コルゲートチューブＣの開口端部を割込み部１３に、即ち、コルゲートチューブＣの開口端部に割込み部１３を押し込む。
【００３１】
次に、図６に示すように、コルゲートチューブＣを矢印Ｐ方向に移動させて、割込み部１３でコルゲートチューブＣのスリットＣ１をＶ字形状に拡開させ、拡開されたスリットＣ１の端面Ｃ２、Ｃ２間に、支持部材１４の連結部２０や電線クランプ１６のクランプ軸２２等を通しながら、案内部材１２及びその後部側に接続された電線ＷをコルゲートチューブＣ内に相対移動させて挿入し、案内部材１２でコルゲートチューブＣを案内しながら、そのチューブＣを案内部材１２の後方に移動させる。
【００３２】
このようにして、案内部材１２の後部側に接続された電線Ｗの外周にコルゲートチューブＣを被せ、スリットＣ１の隙間が案内部材１２の後部側を通り過ぎることにより、チューブ自身の弾性収縮力で閉じられることにより、電線ＷにコルゲートチューブＣを所定区間にわたり順次装着して行く。
【００３３】
次に、コルゲートチューブＣからコルゲートチューブ装着治具１０を引き出し、その装着治具１０を電線クランプ１６のレバー２６を引き上げて電線Ｗのクランプを解除することにより、電線Ｗから取り外し、コルゲートチューブＣの装着作業を終了する。
【００３４】
なお、電線ＷにコルゲートチューブＣを装着する場合、コルゲートチューブＣではなく、コルゲートチューブ装着治具１０の方をコルゲートチューブＣの長手方向に移動させることにより行ってもよい。また、電線クランプ１６は支持部材１４及び案内部材１２の両部材に配設されているが、支持部材１４又は案内部材１２のいずれか一方に配設されるようにしてもよい。更に、電線クランプ１６は、エアチャックや油圧チャック等のエア、油圧シリンダ機構や電磁マグネット、ねじ締付け機構等を使用するようにしてもよい。
【００３５】
本発明のコルゲートチューブ装着治具１０は、前部側にコルゲートチューブＣのスリットＣ１を拡開させる割込み部１３を有し、コルゲートチューブＣ内に挿入されてコルゲートチューブＣを案内する案内部材１２と、案内部材１２に設けられた支持部材１４と、案内部材１２の後部側に接続される電線Ｗを案内部材１２に固定する電線クランプ１６とを備えている。
【００３６】
そこで、電線ＷにコルゲートチューブＣを装着するために、案内部材１２をコルゲートチューブＣの長手方向に沿って相対的に移動させ、割込み部１３でそのチューブＣのスリットＣ１を拡開させ、拡開されたスリットＣ１に支持部材１４を通しながら、案内部材１２をコルゲートチューブＣ内に挿入し、案内部材１２でコルゲートチューブＣを案内しながら、そのチューブＣを案内部材１２の後方に相対的に移動させると、案内部材１２の後部側に接続された電線Ｗも案内部材１２と共に移動してコルゲートチューブＣ内に挿入される。その結果、案内部材１２を通り過ぎたコルゲートチューブＣのスリットＣ１の隙間がそのチューブ自身の弾性収縮力で狭められても、コルゲートチューブＣ内に電線Ｗが既に挿入されているので、電線Ｗの挿入失敗がなくなり、電線ＷにコルゲートチューブＣを確実、容易に装着することができる。更に装着の作業性を向上させることもできる。
【図面の簡単な説明】
【００３７】
【図１】本発明に係るコルゲートチューブ装着治具の好ましい実施形態を示す斜視図である。
【図２】図１の実施形態の電線クランプを示す断面図である。
【図３】図１の実施形態の案内部材をＸ−Ｘ線で切断した拡大断面図である。
【図４】図１の実施形態の支持部材を構成する連結部において、前面部の形状の変形例を示すもので、（ａ）はＶ字形状、（ｂ）は弧形状の拡大図である。
【図５】図１の実施形態の装着治具の案内部材に電線を接続し、コルゲートチューブの装着作業を開始する状態を示す斜視図である。
【図６】図１の実施形態の装着治具を用いて、電線にコルゲートチューブを装着している状態を示す斜視図である。
【図７】従来のコルゲートチューブ装着治具を示すもので、（ａ）はその斜視図、（ｂ）はその装着治具を用いて、電線にコルゲートチューブを装着している状態を示す斜視図である。
【符号の説明】
【００３８】
Ｗ      電線
Ｃ      コルゲートチューブ
Ｃ１    スリット
Ｃ２    端面
１０    コルゲートチューブ装着治具
１２    案内部材
１３    割込み部
１４    支持部材
１６    電線クランプ
１８    取っ手
２０    連結部
２０ａ、２０ｂ、２０ｃ  前面部
２２    クランプ軸
２４    付勢部材
２６    レバー
２８    支持アーム
３０    貫通穴
３２    締付けねじ
３４    鍔部
【図１】
2006271020.tif 000003
【図２】
2006271020.tif 000004
【図３】
2006271020.tif 000005
【図４】
2006271020.tif 000006
【図５】
2006271020.tif 000007
【図６】
2006271020.tif 000008
【図７】
2006271020.tif 000009